(57)【要約】 【課題】アヒル歩きや起居にも強固に臀部に固定される安全な作業用椅子の提供。【解決手段】本発明は，座布団椅子１０の両側から骨盤を包むように横方向に骨盤ベルト２０を着用し，座布団椅子の下側を引き寄せて両脚の間，そして骨盤ベルトの前方に沿って縦方向に安全ベルト３０を着用することによって，作業者がアヒル歩きなどを繰り返しても，臀部に，座布団椅子を芯出しして位置決めして強固に固定して，利便性を拡大し，座布団椅子の位置がずれて作業中にしりもちをつくことを無くし，安全性を保証することができ，延いては，安全ベルト３０の着用時，座布団椅子の臀部への位置決めを保証する一方，安全ベルトの非着用時，着脱環Ｇ２を上向きに復帰させて，回収環Ｇ３に嵌装し安全ベルト自体を簡単に収縮してベルトによる事故を防ぎ，かつ，保管に際しても安全ベルトが無作為に垂れ下がらないように保管できる作業用椅子である。【選択図】図１６ｂ
2019111316.tif 000002
【特許請求の範囲】
【請求項１】
臀部に密着して緩衝する座布団椅子（１０）と，該座布団椅子（１０）の両側に各々固定されて骨盤に着脱可能に着用される骨盤ベルトを含む作業用椅子において，
前記座布団椅子（１０）の下側と前記骨盤ベルト（２０）の前方に着脱可能に固定されて，前記座布団椅子（１０）を肛門の周囲の臀部に位置決めないし芯出してセンタリングさせることができるように着用される安全ベルト（３０）を含み，
前記安全ベルト（３０）は，前記座布団椅子（１０）の下側に固定されて前記骨盤ベルト（２０）の前方に着脱可能に着用され，
前記骨盤ベルト（２０）は，前記座布団椅子（１０）の両側の上部に各々固定されて骨盤に水平方向に着脱可能に着用される主骨盤ベルト（２１）と，前記座布団椅子（１０）の両側の中下部に固定されて斜線方向に延長された後，前記主骨盤ベルト（２１）に固定されて骨盤に着用される補助骨盤ベルト（２２）からなり，
前記安全ベルト（３０）は，前記座布団椅子（１０）の下側に固定されて股間を経て前記補助骨盤ベルト（２２）の前方の両側に着脱可能に着用されて，前記主骨盤ベルト及び補助骨盤ベルト（２２）の相互間の幅を広げながら肛門の周囲の臀部にセンタリングされた前記座布団椅子（１０）を前記主骨盤ベルト（２１）及び補助骨盤ベルト（２２）と共に立体的な三角形状にして強固に固定することを特徴とする作業用椅子。
【請求項２】
臀部に密着して緩衝される座布団椅子（１０）と，前記座布団椅子（１０）の両側に各々固定されて骨盤に着脱可能に着用される骨盤ベルト（２０）を含む作業用椅子において，
前記座布団椅子（１０）の下側と前記骨盤ベルト（２０）の前方に着脱可能に固定されて，前記座布団椅子（１０）を肛門の周囲の臀部にセンタリングさせることができるように着用される安全ベルト（３０）を含み，
前記安全ベルト（３０）は，前記骨盤ベルト（２０）の前方に固定されて前記座布団椅子（１０）の下側に着脱可能に着用され，
前記骨盤ベルト（２０）は，前記座布団椅子（１０）の両側の上部に各々固定されて骨盤に水平方向に着脱可能に着用される主骨盤ベルト（２１）と，前記座布団椅子（１０）の両側の中下部に固定されて斜線方向に延長された後，前記主骨盤ベルト（２１）に固定されて骨盤に着用される補助骨盤ベルト（２２）からなり，
前記安全ベルト（３０）は，前記補助骨盤ベルト（２２）の前方の両側に固定されて，前記座布団椅子（１０）の下側に着脱可能に着用されて，前記主骨盤ベルト（２１）及び補助骨盤ベルト（２２）の相互間の幅を広げながら肛門の周囲の臀部にセンタリングされた前記座布団椅子（１０）を前記主骨盤ベルト（２１）及び補助骨盤ベルト（２２）と共に立体的な三角形状にして強固に固定することを特徴とする作業用椅子。
【請求項３】
臀部に密着して緩衝される座布団椅子（１０）と，前記座布団椅子（１０）の両側に各々固定されて骨盤に着脱可能に着用される骨盤ベルト（２０）を含む作業用椅子において，
前記座布団椅子（１０）の下側と前記骨盤ベルト（２０）の前方に着脱可能に固定されて，前記座布団椅子（１０）を肛門の周囲の臀部にセンタリングさせることができるように着用される安全ベルト（３０）を含み，
前記安全ベルト（３０）は，前記座布団椅子（１０）の下側及び前記骨盤ベルト（２０）の前方に着脱可能に着用され，
前記骨盤ベルト（２０）は，前記座布団椅子（１０）の両側の上部に各々固定されて骨盤に水平方向に着脱可能に着用される主骨盤ベルト（２１）と，前記座布団椅子（１０）の両側の中下部に固定されて斜線方向に延長された後，前記主骨盤ベルト（２１）に固定されて骨盤に着用される補助骨盤ベルト（２２）からなり，
前記安全ベルト（３０）は，股間を経ながら前記座布団椅子（１０）の下側及び前記補助骨盤ベルト（２２）の前方の両側に着脱可能に着用されて，前記主骨盤ベルト（２１）及び補助骨盤ベルト（２２）の相互間の幅を広げながら肛門の周囲の臀部にセンタリングされた前記座布団椅子（１０）を前記主骨盤ベルト（２１）及び補助骨盤ベルト（２２）と共に立体的な三角形状にして強固に固定することを特徴とする作業用椅子。
【請求項４】
臀部に密着して緩衝される座布団椅子（１０）と，前記座布団椅子（１０）の両側に各々固定されて骨盤に着脱可能に着用される骨盤ベルト（２０）を含む作業用椅子において，
前記座布団椅子（１０）の下側と前記骨盤ベルト（２０）の前方に着脱可能に固定されて，前記座布団椅子（１０）を肛門の周囲の臀部にセンタリングさせることができるように着用される安全ベルト（３０）を含み，
前記骨盤ベルト（２０）は，前記座布団椅子（１０）の両側の上部に各々固定されて骨盤に水平方向に着脱可能に着用される主骨盤ベルト（２１）と，前記座布団椅子（１０）の両側の中下部に固定されて斜線方向に延長された後，前記主骨盤ベルト（２１）に固定されて骨盤に着用される補助骨盤ベルト（２２）からなり，
前記安全ベルト（３０）は，前記座布団椅子（１０）の下側に固定されたアンダー中心安全ベルト（３３）から延長されて股間を経て前記補助骨盤ベルト（２２）の前方の両側に着脱可能に着用されて，前記主骨盤ベルト（２１）及び補助骨盤ベルト（２２）の相互間の幅を広げながら肛門の周囲の臀部にセンタリングされた前記座布団椅子（１０）を前記主骨盤ベルト（２１）及び補助骨盤ベルト（２２）と共に立体的な三角形状にして強固に固定するアッパー対角安全ベルト（３４）を含むことを特徴とする作業用椅子。
【請求項５】
臀部に密着して緩衝される座布団椅子（１０）と，前記座布団椅子（１０）の両側に各々固定されて骨盤に着脱可能に着用される骨盤ベルト（２０）を含む作業用椅子において，
前記座布団椅子（１０）の下側と前記骨盤ベルト（２０）の前方に着脱可能に固定されて前記座布団椅子（１０）を肛門の周囲の臀部にセンタリングさせることができるように着用される安全ベルト（３０）を含み，
前記骨盤ベルト（２０）は，前記座布団椅子（１０）の両側の上部に各々固定されて骨盤に水平方向に着脱可能に着用される主骨盤ベルト（２１）と，前記座布団椅子（１０）の両側の中下部に固定されて斜線方向に延長された後，前記主骨盤ベルト（２１）に固定されて骨盤に着用される補助骨盤ベルト（２２）からなり，
前記安全ベルト（３０）は，前記座布団椅子（１０）の下側に固定されたアンダー中心安全ベルト（３３）及び前記補助骨盤ベルト（２２）の前方の両側に固定されたアッパー対角安全ベルト（３４）からなり，股間を経て互いに着脱可能に着用されて，前記主骨盤ベルト（２１）及び補助骨盤ベルト（２２）の相互間の幅を広げながら肛門の周囲の臀部にセンタリングされた前記座布団椅子（１０）を前記主骨盤ベルト（２１）及び補助骨盤ベルト（２２）と共に立体的な三角形状にして強固に固定することを特徴とする作業用椅子。
【請求項６】
前記座布団椅子（１０）は，垂直被覆材（Ｐ３）により上下連結されてクッション材を内蔵した上部被覆材（Ｐ１）及び下部被覆材（Ｐ２）を有しながら横面に横方向に開け閉めすることができるジッパー（Ｊ）を備え，
前記安全ベルト（３０）は，前記垂直被覆材（Ｐ３）に連結されることを特徴とする請求項１〜５いずれか１項記載の作業用椅子。
【請求項７】
臀部に密着して緩衝される座布団椅子（１０）と，前記座布団椅子（１０）の両側に各々固定されて骨盤に着脱可能に着用される骨盤ベルト（２０）と，前記座布団椅子（１０）及び骨盤ベルト（２０）に着脱可能に固定されて，前記座布団椅子（１０）を肛門の周囲の臀部にセンタリングさせることができるように着用される安全ベルト（３０）を含む作業用椅子において，
前記座布団椅子（１０）は固定環（Ｇ１）を備え，
前記安全ベルト（３０）は，前記骨盤ベルト（２０）に固定されて着用時に下向きしながら前記固定環（Ｇ１）に掛かる着脱環（Ｇ２）を備え，
前記骨盤ベルト（２０）は，前記安全ベルト（３０）の非着用時，前記着脱環（Ｇ２）を上向き復帰させて受け入れる回収環（Ｇ３）を備えることを特徴とする作業用椅子。
【請求項８】
前記座布団椅子（１０）は，クッション材を内蔵した上面被覆材（Ｐ１），下面被覆材（Ｐ２），及び側面被覆材（Ｐ４）からなり，
前記固定環（Ｇ１）は，前記下面被覆材（Ｐ２）及び側面被覆材（Ｐ４）の境界に返し縫されると共に，前記側面被覆材（Ｐ４）に沿って上向き後，下向きしながら返し縫される固定帯４０のトップ頂点に設けられた固定横ホール（４１）に嵌められて上下回動する固定水平バー（Ｇ１ａ）と，前記固定水平バー（Ｇ１ａ）の両端から閉口型にラウンディングされて前記着脱環（Ｇ２）をして着脱可能に嵌められるようにする固定ラウンドバー（Ｇ１ｂ）を備えることを特徴とする請求項７記載の作業用椅子。
【請求項９】
前記固定環（Ｇ１）は，前記座布団椅子（１０）の正面，前記正面から左側に離隔した左離隔面，及び前記正面から右側に離隔した右離隔面に各々設けられて人体の骨盤及び腿の体型によって前記着脱環（Ｇ２）をして前記座布団椅子（１０）の正面，左離隔面，及び右離隔面に各々設けられた前記固定環（Ｇ１）に選択的に掛かるようにすることを特徴とする請求項７記載の作業用椅子。
【請求項１０】
前記回収環（Ｇ３）は，前記安全ベルト（３０）をサンドイッチさせるように前記骨盤ベルト（２０）に当接しながら上向き後，下向きすると共に，また前記安全ベルト（３０）の上に上向きして返し縫なる回収帯（５０）のアンダー頂点に設けられた回収横ホール（５１）に嵌められて上下回動する回収水平バー（Ｇ３ａ）と，前記回収水平バー（Ｇ３ａ）の両端から閉口型にラウンディングされて，前記着脱環（Ｇ２）をして着脱可能に嵌められるようにする回収ラウンドバー（Ｇ３ｂ）を備えることを特徴とする請求項７記載の作業用椅子。
【請求項１１】
前記着脱環（Ｇ２）は，前記安全ベルト（３０）の下端に設けられた着脱横ホール（３０ａ）に嵌められて上下回動する着脱水平バー（Ｇ２ａ）と，前記着脱水平バー（Ｇ２ａ）の両端から閉口型に折れた後，オープン型にラウンディングされて前記固定環（Ｇ１）または回収環（Ｇ３）に選択的に着脱可能に嵌められる着脱ラウンドバー（Ｇ２ｂ）を備えることを特徴とする請求項７記載の作業用椅子。
【請求項１２】
前記着脱環（Ｇ２）は，前記着脱ラウンドバー（Ｇ２ｂ）のオープン型にラウンディングされた端部の内側から内向突出するストッパー（Ｇ２ｃ）をさらに含むことを特徴とする請求項１１記載の作業用椅子。
【請求項１３】
前記着脱横ホール（３０ａ）は，前記安全ベルト（３０）の端部を内側に畳んだ状態で返し縫して設けられたアンダー頂点に形成させることを特徴とする請求項１１記載の作業用椅子。
【請求項１４】
前記安全ベルト（３０）は，前記骨盤ベルト（２０）の前方の中心に固定されて前記着脱環（Ｇ２）をして前記座布団椅子（１０）の固定環（Ｇ１）に着脱可能にすることを特徴とする請求項７〜１３いずれか１項記載の作業用椅子。
【請求項１５】
前記安全ベルト（３０）は，前記骨盤ベルト（２０）の前方の両側に固定されて前記着脱環（Ｇ２）をして前記座布団椅子（１０）の固定環（Ｇ１）に着脱可能にすることを特徴とする請求項７〜１３いずれか１項記載の作業用椅子。
【請求項１６】
前記骨盤ベルト（２０）は，前記座布団椅子（１０）の両側の上部に各々固定されて骨盤に水平方向に着脱可能に着用される主骨盤ベルト（２１）と，前記座布団椅子（１０）の両側の中下部に固定されて斜線方向に延長された後，前記主骨盤ベルト（２１）に固定されて骨盤に着用される補助骨盤ベルト（２２）からなり，
前記安全ベルト（３０）は，前記補助骨盤ベルト（２２）の前方の両側に固定されて前記着脱環（Ｇ２）をして前記座布団椅子（１０）の固定環（Ｇ１）に着脱可能にすることを特徴とする請求項７〜１３いずれか１項記載の作業用椅子。
【請求項１７】
臀部に密着して緩衝される座布団椅子（１０）と，前記座布団椅子（１０）の両側に各々固定されて骨盤に着脱可能に着用される骨盤ベルト（２０）と，前記座布団椅子（１０）及び骨盤ベルト（２０）に着脱可能に固定されて前記座布団椅子（１０）を肛門の周囲の臀部にセンタリングさせることができるように着用される安全ベルト（３０）を含む作業用椅子において，
前記座布団椅子（１０）は固定環（Ｇ１）を備え，
前記安全ベルト（３０）は，前記骨盤ベルト（２０）に固定されて，着用時，下向きしながら前記固定環（Ｇ１）に掛かる着脱環（Ｇ２）を備え，
前記固定環（Ｇ１）は，前記座布団椅子（１０）の正面，前記正面から左側に離隔した左離隔面，及び前記正面から右側に離隔した右離隔面に各々設けられて人体の骨盤及び腿の体型によって前記着脱環（Ｇ２）をして前記座布団椅子（１０）の正面，左離隔面，及び右離隔面に各々設けられた前記固定環（Ｇ１）に選択的に掛かるようにすることを特徴とする作業用椅子。
【請求項１８】
前記座布団椅子（１０）は，クッション材を内蔵した上面被覆材（Ｐ１），下面被覆材（Ｐ２），及び側面被覆材（Ｐ４）からなり，
前記固定環（Ｇ１）は，前記下面被覆材（Ｐ２）及び側面被覆材（Ｐ４）の境界に返し縫されると共に，前記側面被覆材（Ｐ４）に沿って上向き後，下向きしながら返し縫される固定帯（４０）のトップ頂点に設けられた固定横ホール（４１）に嵌められて上下回動する固定水平バー（Ｇ１ａ）と，前記固定水平バー（Ｇ１ａ）の両端から閉口型にラウンディングされて前記着脱環（Ｇ２）をして着脱可能に嵌められるようにする固定ラウンドバー（Ｇ１ｂ）を備えることを特徴とする請求項１７記載の作業用椅子。
【請求項１９】
前記着脱環（Ｇ２）は，前記安全ベルト（３０）の下端に設けられた着脱横ホール（３０ａ）に嵌められて上下回動する着脱水平バー（Ｇ２ａ）と，前記着脱水平バー（Ｇ２ａ）の両端から閉口型に折れた後，オープン型にラウンディングされて前記固定環（Ｇ１）または回収環（Ｇ３）に選択的に着脱可能に嵌められる着脱ラウンドバー（Ｇ２ｂ）を備えることを特徴とする請求項１７記載の作業用椅子。
【請求項２０】
前記着脱環（Ｇ２）は，前記着脱ラウンドバー（Ｇ２ｂ）のオープン型にラウンディングされた端部の内側から内向突出するストッパー（Ｇ２ｃ）をさらに含むことを特徴とする請求項１９記載の作業用椅子。
【請求項２１】
前記着脱横ホール（３０ａ）は，前記安全ベルト（３０）の端部を内側に畳んだ状態で返し縫して設けられたアンダー頂点に形成させることを特徴とする請求項１９記載の作業用椅子。
【請求項２２】
前記安全ベルト（３０）は，前記骨盤ベルト（２０）の前方の中心に固定されて前記着脱環（Ｇ２）をして前記座布団椅子（１０）の固定環（Ｇ１）に着脱可能にすることを特徴とする請求項１７〜２１いずれか１項記載の作業用椅子。
【請求項２３】
前記安全ベルト（３０）は，前記骨盤ベルト（２０）の前方の両側に固定されて前記着脱環（Ｇ２）をして前記座布団椅子（１０）の固定環（Ｇ１）に着脱可能にすることを特徴とする請求項１７〜２１いずれか１項記載の作業用椅子。
【請求項２４】
前記骨盤ベルト（２０）は，前記座布団椅子（１０）の両側の上部に各々固定されて骨盤に水平方向に着脱可能に着用される主骨盤ベルト（２１）と，前記座布団椅子（１０）の両側の中下部に固定されて斜線方向に延長された後，前記主骨盤ベルト（２１）に固定されて骨盤に着用される補助骨盤ベルト（２２）からなり，
前記安全ベルト（３０）は，前記補助骨盤ベルト（２２）の前方の両側に固定されて前記着脱環（Ｇ２）をして前記座布団椅子（１０）の固定環（Ｇ１）に着脱可能にすることを特徴とする請求項１７〜２１いずれか１項記載の作業用椅子。
【発明の詳細な説明】
【技術分野】
【０００１】
本発明は作業用椅子に関し，より詳しくは，座布団椅子の両側から骨盤を包むように横方向に骨盤ベルトを着用すると共に，座布団椅子の下側を引き寄せて両脚の間，そして骨盤ベルトの前方に沿って縦方向に安全ベルトを着用して，作業者が起居及びアヒル歩き(duck-walking)を繰り返しても，座布団椅子の中心ないし重心を芯出して肛門周囲の大臀筋を含む臀部(以下，単に，「臀部」とも言う)に位置決め（以下，単に，「センタリング」ともいう）して強固に固定することができる作業用椅子に関する。
【背景技術】
【０００２】
一般に，作業用椅子は農漁村や各種の産業現場で膝を屈めた状態で，すなわち膝を縮めた状態で作業する時，座布団椅子が臀部に位置しながら地面に当接するようにして，体重の分散を通じて膝及び腰などを保護することができるようにする作業補助装備である。
【０００３】
図１ａは先行技術文献１（デザイン登録第０７４５４３５号）に従う作業用椅子を示す図面代用写真であり，図１ｂは先行技術文献１のような形態の作業用椅子を着用した正面及び背面の状態を各々示す図面代用写真であり，図１ｃは先行技術文献１のような形態の作業用椅子を着用する過程及び着用後を各々示す図面代用写真及び使用状態図である。
【０００４】
先行技術文献１に従う作業用椅子は，図１ａ及び図１ｂに示すように，臀部に密着して緩衝される座布団椅子Ｃと，座布団椅子Ｃの上部に１１字方向に平行に近接固定されて左側股及び右側股に各々嵌められる左脚バンドＬ及び右脚バンドＲからなる。
【０００５】
先行技術文献１に従う作業用椅子は，図１ｃの着用過程を示す図面代用写真及び着用後の使用状態図から確認できるように，左脚バンドＬ及び右脚バンドＲを広げて脚を挟み込んだ後，股間まで引き上げて着用しなければならないので，非常に不便な問題点を有している。
【０００６】
図２ａ及び図２ｂは，先行技術文献２（特許第１５６２１７７号）に従来技術として紹介された作業用椅子の使用状態を各々示す図である。
【０００７】
先行技術文献２に従来技術として紹介された作業用椅子は，図２ａ及び図２ｂに示すように，臀部に密着して緩衝される座布団椅子Ｃと，座布団椅子Ｃの上部に横方向に固定されて骨盤に着用される骨盤バンドＢからなる。
【０００８】
ところで，先行技術文献２の作業用椅子は，作業者が座るか立つ動作を繰り返す場合，座布団椅子Ｃが臀部の上に上昇して作業中に臀部でしりもちをつく恐れがあり，このような短所を考慮して作業者は座る度に座布団椅子Ｃを手で引っ張って臀部まで引き下ろさなければならないので，作業性が低下する問題点を有している。
【先行技術文献】
【特許文献】
【０００９】
【特許文献１】大韓民国登録デザイン公報第０７４５４３５号
【特許文献２】大韓民国登録特許公報第１５６２１７７号
【発明の概要】
【発明が解決しようとする課題】
【００１０】
本発明の目的は，座布団椅子の両側から骨盤を包むように横方向に骨盤ベルトを着用すると共に，座布団椅子の下側を引き寄せて両脚の間，そして骨盤ベルトの前方に沿って縦方向に安全ベルトを着用して作業者が起居及びアヒル歩きを繰り返しても，臀部に座布団椅子をセンタリングすることができるようにした作業用椅子を提供することにある。
【００１１】
本発明の目的は，安全ベルトの着用時，座布団椅子の臀部への位置決めを保証する一方，安全ベルトの非着用時，着脱環を上向き復帰させて回収環に嵌めて安全ベルト自体を簡単手軽に縮めて安全に事故のないようにすると共に，作業用椅子を保管しようとする場合にも安全ベルトが無作為に垂らされる現象を防止して，保管時の整理整頓まで実現するようにすることができる作業用椅子を提供することにある。
【００１２】
本発明の目的は，固定帯が下面被覆材及び側面被覆材の境界に返し縫されて，安全ベルトの着用時，確実な固定力で寿命を保証するようにし，次に，固定帯が上向き後，下向きしながら側面被覆材に再度返し縫されて，より確実な固定力を発揮することができるようにし，固定水平バーが固定帯のトップ頂点に設けられた固定横ホールに嵌められて，上下回動して着脱環の固定ラウンドバーへの円滑な組立及び分解を可能にして，使用上の利便性まで保証することができるようにする作業用椅子を提供することにある。
【００１３】
本発明の目的は，座布団椅子の正面に設けられた固定環に着脱環を嵌めて安全ベルトの締め力を緩くすることができるようにし，座布団椅子の左離隔面及び右離隔面に各々設けられた固定環に着脱環を嵌めて安全ベルトの締め力をタイト（腿をより引き締める感じ）にすることができるようにして，作業者の安らかな感じによって選択的に安全ベルトを着用するようにして，その使用時の利便性を極大化させることができる作業用椅子を提供することにある。
【００１４】
本発明の目的は，回収環を骨盤ベルトに設ける時，安全ベルトと共に固定できるようにすると共に，特に安全ベルトをサンドイッチさせるように骨盤ベルトに当接しながら上向き後，下向きにされると共に，また安全ベルトの上に上向きにされて返し縫いされ回収帯として一挙に固定力を保証し，延いては，回収帯のアンダー頂点に設けられた回収横ホールに着脱環の回収水平バーが嵌められて上下回動するようにすることによって，着脱環の嵌め及び分離動作まで保証して，使用時の利便性を極大化させることができるようにした作業用椅子を提供することにある。
【００１５】
本発明の目的は，着脱環の着脱水平バーが着脱横ホールに嵌められて上下回動しながら，その両端から閉口型に折れて着脱ラウンドバーを堅固に支持するようにして，使用中の着脱環の分離現象を未然に防止することができ，延いてはオープン型にラウンディングされた着脱ラウンドバーにより固定環または回収環への選択的着脱を容易にして，使用上の利便性を保証することができる作業用椅子を提供することにある。
【００１６】
本発明の目的は，着脱環を固定環または回収環に嵌める場合，簡単に分離されないようにして，より確実な着用状態を維持するようにすることができる作業用椅子を提供することにある。
【００１７】
本発明の目的は，使用上の利便性及び使用安全性を極大化させた作業用椅子を提供することにある。
【００１８】
本発明の目的は，簡単な構造で生産性を保証することができる作業用椅子を提供することにある。
【００１９】
本発明の目的は，安全ベルトの着脱を容易にすることができる作業用椅子を提供することにある。
【課題を解決するための手段】
【００２０】
前記の目的を達成するための本発明は，臀部に密着して緩衝される座布団椅子と，前記座布団椅子の両側に各々固定されて骨盤に着脱可能に着用される骨盤ベルトを含む作業用椅子において，前記座布団椅子１０の下側と前記骨盤ベルトの前方に着脱可能に固定されて前記座布団椅子を肛門の周囲の臀部にセンタリングさせることができるように着用される安全ベルトを含み，前記安全ベルトは，前記座布団椅子の下側に固定されて前記骨盤ベルトの前方に着脱可能に着用され，前記骨盤ベルトは，前記座布団椅子の両側の上部に各々固定されて骨盤に水平方向に着脱可能に着用される主骨盤ベルトと，前記座布団椅子の両側の中下部に固定されて斜線方向に延長された後，前記主骨盤ベルトに固定されて骨盤に着用される補助骨盤ベルトからなり，前記安全ベルトは，前記座布団椅子の下側に固定されて股間を経て前記補助骨盤ベルトの前方の両側に着脱可能に着用されて前記主骨盤ベルト及び補助骨盤ベルトの相互間の幅を広げながら臀部に位置決めされた前記座布団椅子を前記主骨盤ベルト及び補助骨盤ベルトと共に立体的な三角形状にして強固にすることをその技術的構成上の基本特徴とする。
【００２１】
前記の目的を達成するための本発明は，臀部に密着して緩衝される座布団椅子と，前記座布団椅子の両側に各々固定されて骨盤に着脱可能に着用される骨盤ベルトを含む作業用椅子において，前記座布団椅子の下側と前記骨盤ベルトの前方に着脱可能に固定されて前記座布団椅子を肛門の周囲の臀部にセンタリングさせることができるように着用される安全ベルトを含み，前記安全ベルトは，前記骨盤ベルトの前方に固定されて前記座布団椅子の下側に着脱可能に着用され，前記骨盤ベルトは，前記座布団椅子の両側の上部に各々固定されて骨盤に水平方向に着脱可能に着用される主骨盤ベルトと，前記座布団椅子の両側の中下部に固定されて斜線方向に延長された後，前記主骨盤ベルトに固定されて骨盤に着用される補助骨盤ベルトからなり，前記安全ベルトは，前記補助骨盤ベルトの前方の両側に固定されて前記座布団椅子の下側に着脱可能に着用されて前記主骨盤ベルト及び補助骨盤ベルトの相互間の幅を広げながら肛門の周囲の臀部にセンタリングされた前記座布団椅子を前記主骨盤ベルト及び補助骨盤ベルトと共に立体的な三角形状にして強固に固定することをその技術的構成上の基本特徴とする。
【００２２】
前記の目的を達成するための本発明は，臀部に密着して緩衝される座布団椅子と，前記座布団椅子の両側に各々固定されて骨盤に着脱可能に着用される骨盤ベルトを含む作業用椅子において，前記座布団椅子の下側と前記骨盤ベルトの前方に着脱可能に固定されて前記座布団椅子を肛門の周囲の臀部にセンタリングさせることができるように着用される安全ベルトを含み，前記安全ベルトは，前記座布団椅子の下側及び前記骨盤ベルトの前方に着脱可能に着用され，前記骨盤ベルトは，前記座布団椅子の両側の上部に各々固定されて骨盤に水平方向に着脱可能に着用される主骨盤ベルトと，前記座布団椅子の両側の中下部に固定されて斜線方向に延長された後，前記主骨盤ベルトに固定されて骨盤に着用される補助骨盤ベルトからなり，前記安全ベルトは股間を経ながら前記座布団椅子の下側及び前記補助骨盤ベルトの前方の両側に着脱可能に着用されて前記主骨盤ベルト及び補助骨盤ベルトの相互間の幅を広げながら肛門の周囲の臀部にセンタリングされた前記座布団椅子を前記主骨盤ベルト及び補助骨盤ベルトと共に立体的な三角構図的に三角形状にして強固に固定することをその技術的構成上の基本特徴とする。
【００２３】
前記目的を達成するための本発明は，臀部に密着して緩衝される座布団椅子と，前記座布団椅子の両側に各々固定されて骨盤に着脱可能に着用される骨盤ベルトを含む作業用椅子において，前記座布団椅子の下側と前記骨盤ベルトの前方に着脱可能に固定されて前記座布団椅子を肛門の周囲の臀部にセンタリングさせることができるように着用される安全ベルトを含み，前記骨盤ベルトは，前記座布団椅子の両側の上部に各々固定されて骨盤に水平方向に着脱可能に着用される主骨盤ベルトと，前記座布団椅子の両側の中下部に固定されて斜線方向に延長された後，前記主骨盤ベルトに固定されて骨盤に着用される補助骨盤ベルトからなり，前記安全ベルトは，前記座布団椅子の下側に固定されたアンダー中心安全ベルトから延長されて股間を経て前記補助骨盤ベルトの前方の両側に着脱可能に着用されて前記主骨盤ベルト及び補助骨盤ベルトの相互間の幅を広げながら肛門の周囲の臀部にセンタリングされた前記座布団椅子を前記主骨盤ベルト及び補助骨盤ベルトと共に立体的な三角形状として強固に固定するアッパー対角安全ベルトを含むことをその技術的構成上の基本特徴とする。
【００２４】
前記の目的を達成するための本発明は，臀部に密着して緩衝される座布団椅子と，前記座布団椅子の両側に各々固定されて骨盤に着脱可能に着用される骨盤ベルトを含む作業用椅子において，前記座布団椅子の下側と前記骨盤ベルト２０の前方に着脱可能に固定されて前記座布団椅子を肛門の周囲の臀部にセンタリングさせることができるように着用される安全ベルトを含み，前記骨盤ベルトは，前記座布団椅子の両側の上部に各々固定されて骨盤に水平方向に着脱可能に着用される主骨盤ベルトと，前記座布団椅子の両側の中下部に固定されて斜線方向に延長された後，前記主骨盤ベルトに固定されて骨盤に着用される補助骨盤ベルトからなり，前記安全ベルトは，前記座布団椅子の下側に固定されたアンダー中心安全ベルト及び前記補助骨盤ベルトの前方の両側に固定されたアッパー対角安全ベルトからなり，股間を経て互いに着脱可能に着用されて前記主骨盤ベルト及び補助骨盤ベルトの相互間の幅を広げながら肛門の周囲の臀部にセンタリングされた前記座布団椅子を前記主骨盤ベルト及び補助骨盤ベルトと共に立体的な三角形状として強固に固定することをその技術的構成上の基本特徴とする。
【００２５】
前記の目的を達成するための本発明は，臀部に密着して緩衝される座布団椅子と，前記座布団椅子の両側に各々固定されて骨盤に着脱可能に着用される骨盤ベルトと，前記座布団椅子及び骨盤ベルトに着脱可能に固定されて前記座布団椅子を肛門の周囲の臀部にセンタリングさせることができるように着用される安全ベルトを含む作業用椅子において，前記座布団椅子は固定環を備え，前記安全ベルトは，前記骨盤ベルトに固定されて着用時に下向きしながら前記固定環に掛かる着脱環を備え，前記骨盤ベルトは，前記安全ベルトの非着用時，前記着脱環を上向き復帰させて受け入れる回収環を備えることをその技術的構成上の基本特徴とする。
【００２６】
前記の目的を達成するための本発明は，臀部に密着して緩衝される座布団椅子と，前記座布団椅子の両側に各々固定されて骨盤に着脱可能に着用される骨盤ベルトと，前記座布団椅子及び骨盤ベルトに着脱可能に固定されて前記座布団椅子を肛門の周囲の臀部にセンタリングさせることができるように着用される安全ベルトを含む作業用椅子において，前記座布団椅子は固定環を備え，前記安全ベルトは，前記骨盤ベルトに固定されて着用時に下向きしながら前記固定環に掛かる着脱環を備え，前記固定環は，前記座布団椅子の正面，前記正面から左側に離隔した左離隔面及び前記正面から右側に離隔した右離隔面に各々設けられて人体の骨盤及び腿の体型によって前記着脱環をして前記座布団椅子の正面，左離隔面，及び右離隔面に各々設けられた前記固定環に選択的に掛かるようにすることをその技術的構成上の基本特徴とする。
【発明の効果】
【００２７】
本発明は，座布団椅子の両側から骨盤を包むように横方向に骨盤ベルトを着用すると共に，座布団椅子の下側を引き寄せて両脚の間，そして骨盤ベルトの前方に沿って縦方向に安全ベルトを着用することによって，作業者が起居を繰り返し，アヒル歩きを繰り返しても，肛門の周囲の臀部に座布団椅子のセンタリング位置を強固に固定することができるようになり，使用上の利便性を極大化させることができるだけでなく，座布団椅子の定位置として，作業中にしりもちをつく現象を無くして，使用安全性まで保証するようにすることができる効果がある。
【００２８】
本発明は，安全ベルトの着用時，座布団椅子の肛門の周囲へのセンタリングを保証する一方，安全ベルトの非着用時，着脱環を上向き復帰させて回収環に嵌めて安全ベルト自体を簡単手軽に縮めて，安全に事故のないようにすると共に，作業用椅子を保管しようとする場合にも安全ベルトが無作為に垂らされる現象を防止して保管時の整理整頓まで実現することができる効果がある。
【００２９】
本発明は，固定帯が下面被覆材及び側面被覆材の境界に返し縫されて安全ベルトの着用時，確実な固定力により寿命を保証するようにし，次に，固定帯が上向き後，下向きしながら側面被覆材に再度返し縫されて，より確実な固定力が発揮できるようにし，固定水平バーが固定帯のトップ頂点に設けられた固定横ホールに嵌められて，上下回動して着脱環の固定ラウンドバーへの円滑な組立及び分解を可能にして，使用上の利便性まで保証することができるようにする効果がある。
【００３０】
本発明は，座布団椅子の正面に設けられた固定環に着脱環を嵌めて安全ベルトの締め力を緩くすることができるようにし，座布団椅子の左離隔面及び右離隔面に各々設けられた固定環に着脱環を嵌めて安全ベルトの締め力をタイト（腿をより締める感じ）にすることができるようにして，作業者の安らかな感じによって選択的に安全ベルトを着用するようにして，その使用時の利便性を極大化させることができる効果がある。
【００３１】
本発明は，回収環を骨盤ベルトに設ける時，安全ベルトと共に固定できるようにすると共に，特に安全ベルトをサンドイッチさせるように骨盤ベルトに当接しながら上向き後，下向きされると共に，また安全ベルトの上に上向きされて返し縫される回収帯として一挙に固定力を保証し，延いては，回収帯のアンダー頂点に設けられた回収横ホールに着脱環の回収水平バーが嵌められて上下回動するようにすることによって，着脱環の嵌め及び分離動作まで保証して，使用時の利便性を極大化させることができる効果がある。
【００３２】
本発明は，着脱環の着脱水平バーが着脱横ホールに嵌められて上下回動しながらその両端から閉口型に折れて着脱ラウンドバーを堅固に支持するようにして，使用中の着脱環の分離現象を未然に防止することができ，延いては，オープン型にラウンディングされた着脱ラウンドバーにより固定環または回収環への選択的着脱を容易にして，使用上の利便性を保証することができる効果がある。
【００３３】
本発明は，着脱環を固定環または回収環に嵌める場合，簡単に分離されないようにして，より確実な着用状態を維持するようにすることができる効果がある。
【００３４】
本発明は，合成繊維の織りにより製作された安全ベルトの使用中，緯糸及び経糸が解ける現象を未然に防止することができる効果がある。
【００３５】
本発明は，簡単な構造で生産性を保証しながら女性作業者に特に容易に使用するようにすることができ，肛門の周囲の臀部にセンタリングされた座布団椅子を骨盤ベルトと共に三角形状としてより強固に固定することができる効果がある。
【図面の簡単な説明】
【００３６】
【図１ａ】先行技術文献１に従う作業用椅子を示す図面代用写真である。
【図１ｂ】先行技術文献１のような形態の作業用椅子を着用した正面及び背面を各々示す図面代用写真である。
【図１ｃ】先行技術文献１のような形態の作業用椅子を着用する過程及び着用後を各々示す図面代用写真及び使用状態図である。
【図２ａ】先行技術文献２（特許第１５６２１７７号）に従来技術として紹介された作業用椅子の使用状態を示す使用状態図である。
【図２ｂ】先行技術文献２（特許第１５６２１７７号）に従来技術として紹介された作業用椅子の使用状態を示す使用状態図である。
【図３ａ】本発明の第１実施形態に従う作業用椅子を示す斜視図である。
【図３ｂ】本発明の第１実施形態に従う作業用椅子を示す使用状態図である。
【図４ａ】本発明の第２実施形態に従う作業用椅子を示す斜視図である。
【図４ｂ】本発明の第２実施形態に従う作業用椅子を示す使用状態図である。
【図５ａ】本発明の第３実施形態に従う作業用椅子を示す斜視図である。
【図５ｂ】本発明の第３実施形態に従う作業用椅子を示す使用状態図である。
【図６ａ】本発明の第４実施形態に従う作業用椅子を示す斜視図である。
【図６ｂ】本発明の第４実施形態に従う作業用椅子を示す使用状態図である。
【図７ａ】本発明の第５実施形態に従う作業用椅子を示す斜視図である。
【図７ｂ】本発明の第５実施形態に従う作業用椅子を示す使用状態図である。
【図８ａ】本発明の第６実施形態に従う作業用椅子を示す斜視図である。
【図８ｂ】本発明の第６実施形態に従う作業用椅子を示す使用状態図である。
【図９ａ】本発明の第７実施形態に従う作業用椅子を示す斜視図である。
【図９ｂ】本発明の第７実施形態に従う作業用椅子を示す使用状態図である。
【図１０ａ】本発明の第８実施形態に従う作業用椅子を示す斜視図である。
【図１０ｂ】本発明の第８実施形態に従う作業用椅子を示す使用状態図である。
【図１１ａ】本発明の第９実施形態に従う作業用椅子を示す斜視図である。
【図１１ｂ】本発明の第９実施形態に従う作業用椅子を示す使用状態図である。
【図１２ａ】本発明の第１０実施形態に従う作業用椅子を示す展開図である。
【図１２ｂ】本発明の第１０実施形態に従う作業用椅子を示す使用状態図である。
【図１３ａ】本発明の第１１実施形態に従う作業用椅子を示す展開図である。
【図１３ｂ】本発明の第１１実施形態に従う作業用椅子を示す使用状態図である。
【図１４】本発明の第１２実施形態に従う作業用椅子を示す展開図である。
【図１５ａ】本発明の実施形態に従う作業用椅子のサンプルを撮影した図面代用写真である。
【図１５ｂ】本発明の実施形態に従う作業用椅子のサンプルを撮影した図面代用写真である。
【図１６ａ】本発明の第１３実施形態に従う作業用椅子を示す斜視図である。
【図１６ｂ】本発明の第１３実施形態に従う作業用椅子を示す使用状態図である。
【図１７ａ】本発明の第１４実施形態に従う作業用椅子を示す斜視図である。
【図１７ｂ】本発明の第１４実施形態に従う作業用椅子を示す使用状態図である。
【発明を実施するための形態】
【００３７】
本発明に従う作業用椅子の好ましい実施形態を，図面を参照して説明することにし，その実施形態には多数個が存在することができ，このような実施形態を通じて本発明の目的，特徴，及び利点をよりよく理解できるようになる。
【００３８】
図３ａ乃至図１２ｂは，本発明の各実施形態に従う作業用椅子を示す斜視図及び使用状態図である。
【００３９】
本発明に従う作業用椅子は，図３ａ乃至図１２ｂに示すように，基本的に臀部に密着して緩衝（Cushioning）される座布団椅子１０と，座布団椅子１０の両側に各々固定されて骨盤に着脱可能に着用される骨盤ベルト２０を含む。
【００４０】
座布団椅子１０は，横面に横方向に開け閉めすることができるジッパーの付いた被覆材の中に発泡スチロールなどのクッション材を内蔵して円柱形状または半円柱形状などに製作されることができ，骨盤ベルト２０は座布団椅子１０の両側に各々固定されながら別名チッチギと呼ばれるベルクロ(登録商標)テープ２０ａやバックル（Buckle）などが備えられて，骨盤に弾性的に着脱可能に着用できる。
【００４１】
座布団椅子１０の両側に各々固定された骨盤ベルト２０を骨盤に着用する場合，作業者の作業中の起居の繰り返し，またはアヒル歩きの繰り返しによって座布団椅子１０が尾骨の上側に上がるか，または臀部の左側または右側に歪むことがあるが，このような場合，作業者は座布団椅子１０の位置をまた合せようと本作業をすることができない場合が発生する。
【００４２】
本発明では，このような問題点を考慮して座布団椅子１０の下側と骨盤ベルト２０の前方に着脱可能に固定されて，座布団椅子１０を肛門の周囲の臀部にセンタリングさせることができるように着用される安全ベルト３０を核心構成として含む。
【００４３】
座布団椅子１０の両側から骨盤を包むように横方向に骨盤ベルト２０を着用すると共に，座布団椅子１０の下側を引き寄せて両脚の間，そして骨盤ベルト２０の前方に沿って縦方向に安全ベルト３０を着用することによって，作業者が起居を繰り返し，アヒル歩きを繰り返しても，肛門の周囲の臀部に座布団椅子１０のセンタリング位置（Centering Position）を強固に固定するようになり，使用上の利便性を極大化させることができるだけでなく，座布団椅子１０の定位置として，作業中にしりもちをつく現象を無くして，使用時の安全性を保証するようにすることができるので，好ましい（この際，安全ベルト３０は，弾性のある材質で製作できることは勿論である）。
【００４４】
図３ａは本発明の第１実施形態に従う作業用椅子を示す斜視図であり，図３ｂは本発明の第１実施形態に従う作業用椅子を示す使用状態図であり，図４ａは本発明の第２実施形態に従う作業用椅子を示す斜視図であり，図４ｂは本発明の第２実施形態に従う作業用椅子を示す使用状態図であり，図５ａは本発明の第３実施形態に従う作業用椅子を示す斜視図であり，図５ｂは本発明の第３実施形態に従う作業用椅子を示す使用状態図である。
【００４５】
本発明の第１実施形態乃至第３実施形態に従って，安全ベルト３０は図３ａ乃至図５ｂに示すように，座布団椅子１０の下側に固定されて骨盤ベルト２０の前方に着脱可能に着用できる。
【００４６】
安全ベルト３０が座布団椅子１０の下側に固定された状態で安全ベルト３０を着用しない場合，地面に引っ張って歩かざるをえなくて，作業者に骨盤ベルト２０の前方への安全ベルト３０の着用を強要する結果になり，より安全な作業を保証するようにすることができるので，好ましい。
【００４７】
本発明の第１実施形態として，安全ベルト３０は図３ａ及び図３ｂに示すように，座布団椅子１０の下側に固定されて股間を経て骨盤ベルト２０の前方の中心に着脱可能に着用できる。
【００４８】
安全ベルト３０が座布団椅子１０の下側を引き寄せて股間を経て骨盤ベルト２０の前方の中心に着脱可能に着用されることによって，簡単な構造で生産性を保証しながら女性作業者に特に容易に使用するようにすることができるので，好ましい。
【００４９】
本発明の第２実施形態として，安全ベルト３０は，図４ａ及び図４ｂに示すように，座布団椅子１０の下側に固定されて，股間を経て骨盤ベルト２０の前方の両側に着脱可能に着用できる。
【００５０】
安全ベルト３０が座布団椅子１０の下側を引き寄せて股間を経て骨盤ベルト２０の前方の両側に着脱可能に着用されることによって，肛門の周囲の臀部にセンタリングされた座布団椅子１０を骨盤ベルト２０と共に三角形状としてより強固に固定するようになり，好ましい。
【００５１】
本発明の第３実施形態として，図５ａ及び図５ｂに示すように，骨盤ベルト２０は，座布団椅子１０の両側の上部に各々固定されて，骨盤に水平方向に着脱可能に着用される主骨盤ベルト２１と，座布団椅子１０の両側の中下部に固定されて斜線方向に延長された後，主骨盤ベルト２１に固定されて骨盤に着用される補助骨盤ベルト２２からなることができ，安全ベルト３０は座布団椅子１０の下側に固定されて股間を経て補助骨盤ベルト２２の前方の両側に着脱可能に着用できる。
【００５２】
主骨盤ベルト２１及び補助骨盤ベルト２２により骨盤を包むように着用できるようになり，座布団椅子１０をより安定的に肛門の周囲の臀部にセンタリングさせることができ，安全ベルト３０が座布団椅子１０の下側を引き寄せて股間を経て補助骨盤ベルト２２の前方の両側に着脱可能に着用できるようになり，主骨盤ベルト２１及び補助骨盤ベルト２２の相互間の幅を広げながら肛門の周囲の臀部にセンタリングされた座布団椅子１０を主骨盤ベルト２１及び補助骨盤ベルト２２と共に立体的な三角形状にしてより強固に固定するため，好ましい。
【００５３】
図６ａは本発明の第４実施形態に従う作業用椅子を示す斜視図であり，図６ｂは本発明の第４実施形態に従う作業用椅子を示す使用状態図であり，図７ａは本発明の第５実施形態に従う作業用椅子を示す斜視図であり，図７ｂは本発明の第５実施形態に従う作業用椅子を示す使用状態図であり，図８ａは本発明の第６実施形態に従う作業用椅子を示す斜視図であり，図８ｂは本発明の第６実施形態に従う作業用椅子を示す使用状態図である。
【００５４】
本発明の第４実施形態乃至第６実施形態に従って，安全ベルト３０は図６ａ乃至図８ｂに示すように，骨盤ベルト２０の前方に固定されて座布団椅子１０の下側に着脱可能に着用できる。
【００５５】
安全ベルト３０が骨盤ベルト２０の前方に固定される場合，作業者の趣向または作業環境（作業用椅子の迅速な分解が必要な場合）によって安全ベルト３０を着用しなくても骨盤ベルト２０の前方に安全ベルト３０を垂らした状態でどんな作業でも遂行することができるので，好ましい。
【００５６】
本発明の第４実施形態として，安全ベルト３０は，図６ａ及び図６ｂに示すように，骨盤ベルト２０の前方の中心に固定されて，股間を経て座布団椅子１０の下側に着脱可能に着用できる。
【００５７】
安全ベルト３０が骨盤ベルト２０の前方の中心に固定されて股間を経て座布団椅子１０の下側に着脱可能に着用されることによって，簡単な構造で生産性を保証しながら女性作業者に特に容易に使用するようにすることができるので，好ましい。
【００５８】
本発明の第５実施形態として，安全ベルト３０は，図７ａ及び図７ｂに示すように，骨盤ベルト２０の前方の両側に固定されて，座布団椅子１０の下側に着脱可能に着用できる。
【００５９】
安全ベルト３０が骨盤ベルト２０の前方の両側に固定されて股間を経て座布団椅子１０の下側に着脱可能に着用されることによって，肛門の周囲の臀部にセンタリングされた座布団椅子１０を骨盤ベルト２０と共に三角形状にしてより強固に固定するようになり，好ましい。
【００６０】
本発明の第６実施形態として，図８ａ及び図８ｂに示すように，骨盤ベルト２０は，座布団椅子１０の両側の上部に各々固定されて骨盤に水平方向に着脱可能に着用される主骨盤ベルト２１と，座布団椅子１０の両側の中下部に固定されて斜線方向に延長された後，主骨盤ベルト２１に固定されて骨盤に着用される補助骨盤ベルト２２からなることができ，安全ベルト３０は補助骨盤ベルト２２の前方の両側に固定されて座布団椅子１０の下側に着脱可能に着用できる。
【００６１】
主骨盤ベルト２１及び補助骨盤ベルト２２により骨盤を包むように着用できるようになり，座布団椅子１０をより安定的に肛門の周囲の臀部にセンタリングさせることができ，安全ベルト３０が補助骨盤ベルト２２の前方の両側に固定されて股間を経て座布団椅子１０の下側に着脱可能に着用できるようになり，主骨盤ベルト２１及び補助骨盤ベルト２２の相互間の幅を広げながら肛門の周囲の臀部にセンタリングされた座布団椅子１０を主骨盤ベルト２１及び補助骨盤ベルト２２と共に立体的な三角形状にして，より強固に固定するようになり，好ましい。
【００６２】
図９ａは本発明の第７実施形態に従う作業用椅子を示す斜視図であり，図９ｂは本発明の第７実施形態に従う作業用椅子を示す使用状態図であり，図１０ａは本発明の第８実施形態に従う作業用椅子を示す斜視図であり，図１０ｂは本発明の第８実施形態に従う作業用椅子を示す使用状態図であり，図１１ａは本発明の第９実施形態に従う作業用椅子を示す斜視図であり，図１１ｂは本発明の第９実施形態に従う作業用椅子を示す使用状態図である。
【００６３】
本発明の第７実施形態乃至第９実施形態に従って，安全ベルト３０は，図９ａ乃至図１１ｂに示すように，座布団椅子１０の下側及び骨盤ベルト２０の前方に着脱可能に着用できる。
【００６４】
安全ベルト３０が座布団椅子１０の下側及び骨盤ベルト２０の前方に着脱可能に着用されて使用中に弾性を失うか，毀損された安全ベルト３０を自由に取り替えることができ，延いては，骨盤のサイズに合う合わせ型安全ベルト３０を自由に選択することができ，延いては，ユーザの便宜によって安全ベルト３０を選択着用するようにすることができるので，より好ましい。
【００６５】
本発明の第７実施形態として，安全ベルト３０は，図９ａ及び図９ｂに示すように，股間を経ながら座布団椅子１０の下側及び骨盤ベルト２０の前方に着脱可能に着用できる。
【００６６】
安全ベルト３０が骨盤ベルト２０の股間を経ながら座布団椅子１０の下側及び骨盤ベルト２０の前方の中心に着脱可能に着用されることによって，必要によって，安全ベルト３０の分解を適宜行うことができると共に，簡単な構造として生産性を保証すると共に，女性作業者に特に容易に使用するようにすることができるので，好ましい。
【００６７】
本発明の第８実施形態として，安全ベルト３０は，図１０ａ及び図１０ｂに示すように，股間を経ながら座布団椅子１０の下側及び骨盤ベルト２０の前方の両側に着脱可能に着用できる。
【００６８】
安全ベルト３０が股間を経ながら座布団椅子１０の下側及び骨盤ベルト２０の前方の両側に着脱可能に着用されることによって，必要によって安全ベルト３０の分解を適宜行うことができると共に，肛門の周囲の臀部にセンタリングされた座布団椅子１０を骨盤ベルト２０と共に三角形状にしてより強固に固定するようになり，好ましい。
【００６９】
本発明の第９実施形態として，図１１ａ及び図１１ｂに示すように，骨盤ベルト２０は，座布団椅子１０の両側の上部に各々固定されて骨盤に水平方向に着脱可能に着用される主骨盤ベルト２１と，座布団椅子１０の両側の中下部に固定されて斜線方向に延長された後，主骨盤ベルト２１に固定されて骨盤に着用される補助骨盤ベルト２２からなることができ，安全ベルト３０は股間を経ながら座布団椅子１０の下側及び補助骨盤ベルト２２の前方の両側に着脱可能に着用できる。
【００７０】
主骨盤ベルト２１及び補助骨盤ベルト２２により骨盤を包むように着用できるようになり，座布団椅子１０をより安定的に肛門の周囲の臀部にセンタリングさせることができ，安全ベルト３０が股間を経ながら座布団椅子１０の下側及び補助骨盤ベルト２２の前方の両側に着脱可能に着用できるようになり，必要によって安全ベルト３０の分解を適宜行うことができると共に，主骨盤ベルト２１及び補助骨盤ベルト２２の相互間の幅を広げながら肛門の周囲の臀部にセンタリングされた座布団椅子１０を主骨盤ベルト２１及び補助骨盤ベルト２２と共に立体的な三角形状にしてより強固に固定するようになり，好ましい。
【００７１】
図１２ａは本発明の第１０実施形態に従う作業用椅子を示す展開図であり，図１２ｂは本発明の第１０実施形態に従う作業用椅子を示す使用状態図である。
【００７２】
本発明の第１０実施形態に従う安全ベルト３０は，図１２ａ及び図１２ｂに示すように，座布団椅子１０の下側に固定されたアンダーハーフ安全ベルト３１及び骨盤ベルト２０の前方の中心に固定されたアッパーハーフ安全ベルト３２からなり，股間を経ながら着脱可能に着用できる。
【００７３】
安全ベルト３０が座布団椅子１０の下側に固定されたアンダーハーフ安全ベルト３１及び骨盤ベルト２０の前方の中心に固定されたアッパーハーフ安全ベルト３２からなり，着用時，アンダーハーフ安全ベルト３１を引き寄せてアッパーハーフ安全ベルト３２により簡単に締結することができるので，より容易な着用は勿論，その反対の分解をやはり簡単に実現することができるので，好ましい。
【００７４】
図１３ａは本発明の第１１実施形態に従う作業用椅子を示す展開図であり，図１３ｂは本発明の第１１実施形態に従う作業用椅子を示す使用状態図である。
【００７５】
本発明の第１１実施形態に従って，図１３ａ及び図１３ｂに示すように，骨盤ベルト２０は座布団椅子１０の両側の上部に各々固定されて骨盤に水平方向に着脱可能に着用される主骨盤ベルト２１と，座布団椅子１０の両側の中下部に固定されて斜線方向に延長された後，主骨盤ベルト２１に固定されて骨盤に着用される補助骨盤ベルト２２からなり，安全ベルト３０は座布団椅子１０の下側に固定されたアンダー中心安全ベルト３３から延長されて股間を経て補助骨盤ベルト２２の前方の両側に着脱可能に着用されるアッパー対角安全ベルト３４を含むことができる。
【００７６】
主骨盤ベルト２１及び補助骨盤ベルト２２により骨盤を包むように着用できるようになり，座布団椅子１０をより安定的に肛門の周囲の臀部にセンタリングさせることができ，安全ベルト３０が座布団椅子１０の下側に固定されたアンダー中心安全ベルト３３から延長されて股間を経ながら補助骨盤ベルト２２の前方の両側に着脱可能に着用されるアッパー対角安全ベルト３４からなり，主骨盤ベルト２１及び補助骨盤ベルト２２の相互間の幅を広げながら肛門の周囲の臀部にセンタリングされた座布団椅子１０を主骨盤ベルト２１及び補助骨盤ベルト２２と共に立体的な三角形状にしてより強固に固定するようになり，好ましい。
【００７７】
図１４は，本発明の第１２実施形態に従う作業用椅子を示す展開図である。
【００７８】
本発明の第１２実施形態に従って，図１４に示すように，骨盤ベルト２０は座布団椅子１０の両側の上部に各々固定されて，骨盤に水平方向に着脱可能に着用される主骨盤ベルト２１と，座布団椅子１０の両側の中下部に固定されて斜線方向に延長された後，主骨盤ベルト２１に固定されて，骨盤に着用される補助骨盤ベルト２２からなり，安全ベルト３０は座布団椅子１０の下側に固定されたアンダー中心安全ベルト３３及び補助骨盤ベルト２２の前方の両側に固定されたアッパー対角安全ベルト３４からなり，股間を経て互いに着脱可能に着用できる。
【００７９】
主骨盤ベルト２１及び補助骨盤ベルト２２により骨盤を包むように着用できるようになり，座布団椅子１０をより安定的に肛門の周囲の臀部にセンタリングさせることができ，座布団椅子１０に固定されたアンダー中心安全ベルト３３と補助骨盤ベルト２２に固定されたアッパー対角安全ベルト３４が相互着脱可能に着用されて，主骨盤ベルト２１及び補助骨盤ベルト２２の相互間の幅を広げながら肛門の周囲の臀部にセンタリングされた座布団椅子１０を主骨盤ベルト２１及び補助骨盤ベルト２２と共に立体的な三角形状にしてより強固に固定するようになり，好ましい。
【００８０】
図１５ａ及び図１５ｂは，本発明の実施形態に従う作業用椅子のサンプルを撮影した写真である。
【００８１】
本発明に従って，座布団椅子は，図１５ａ及び図１５ｂに示すように，垂直被覆材Ｐ３により上下連結されて，図示していないクッション材を内蔵した上面被覆材Ｐ１及び下面被覆材Ｐ２を有しながら横面に横方向に開け閉めすることができるジッパーＪを備え，安全ベルト３０は垂直被覆材Ｐ３に連結できるようにする。
【００８２】
ジッパーＪを開いて垂直被覆材Ｐ３を中心に上面被覆材Ｐ１及び下面被覆材Ｐ２をオープンさせた状態で発泡スチロールや発泡フォームを嵌めた後，ジッパーＪをまた閉じて座布団椅子１０を完成させることができるが，この際，安全ベルト３０は着用時，上下方向への引張力が加えられるので，座布団椅子１０から容易に落ちないように，すなわち上面被覆材Ｐ１や下面被覆材Ｐ２に直接安全ベルト３０が付着される場合，容易に分離されて寿命を保証することができないので，本発明では，上下方向への引張力を保証する垂直被覆材Ｐ３に安全ベルト３０を連結(糸などの返し縫を通じての固定／固定環Ｇ１及び着脱環Ｇ２による着脱可能な付着)させて長期間の使用を可能にするものである。
【００８３】
一方，安全ベルト３０の固定は,糸を通じての返し縫などにより可能であり，安全ベルト３０の着脱は固定環Ｇ１に掛かる着脱環Ｇ２などにより可能であり，骨盤ベルト２０は単一または複数個にすることができ，本発明ではこれに大きく制限されるものではない。
【００８４】
図１６ａは,本発明の第１３実施形態に従う作業用椅子を示す斜視図であり，図１６ｂは本発明の第１３実施形態に従う作業用椅子を示す使用状態図であり，図１７ａは本発明の第１４実施形態に従う作業用椅子を示す斜視図であり，図１７ｂは本発明の第１４実施形態に従う作業用椅子を示す使用状態図である。
【００８５】
本発明の第１３実施形態及び第１４実施形態に従う作業用椅子は，図１６ａ乃至図１７ｂに示すように，臀部に密着して緩衝される座布団椅子１０と，座布団椅子１０の両側に各々固定されて骨盤に着脱可能に着用される骨盤ベルト２０と，座布団椅子１０及び骨盤ベルト２０に着脱可能に固定されて座布団椅子１０を肛門の周囲の臀部にセンタリングさせることができるように着用される安全ベルト３０を含む。
【００８６】
この際，座布団椅子１０は固定環Ｇ１を備え，安全ベルト３０は骨盤ベルト２０に固定されて，着用時，下向きしながら固定環Ｇ１に掛かる着脱環Ｇ２を備え，骨盤ベルト２０は安全ベルト３０の非着用時，着脱環Ｇ２を上向き復帰させて受け入れる回収環Ｇ３を備えることを本発明の特徴とする。
【００８７】
作業用椅子は，作業者が一ヵ所で留まりながら仕事をするか，または随時座るか脚を縮めて移動しながら作業するが，作業場では最大限安全に事故のないようにしなければならない。
【００８８】
作業者が作業場で作業をする時，安全ベルト３０は座布団椅子１０及び骨盤ベルト２０に着脱可能に固定されて座布団椅子１０を肛門の周囲の臀部にセンタリングさせて使用上の利便性及び安全性を保証するようにすることができることに反して，作業者が休息時間やお手洗に行っているときは，安全ベルト３０を臨時に解除されて安全ベルト３０が人体に着用されていない状態に垂れ下がるようになる。
【００８９】
この際，作業場では各種の機械が動作できるが，人体に着用されないで垂らされた安全ベルト３０はむしろ機械内に巻き込まれて，より大きい事故をもたらすことがある。
【００９０】
これに対して，本発明では安全ベルト３０の着用時，座布団椅子１０の肛門の周囲へのセンタリングを保証する一方，安全ベルト３０の非着用時，着脱環Ｇ２を上向き復帰させて回収環Ｇ３に嵌めて，安全ベルト３０自体を簡単手軽に縮めて安全に事故のないようにすると共に，作業用椅子を保管しようとする場合にも安全ベルト３０が無作為に垂らされる現象を防止して，保管時の整理整頓を実現するようにしたものである。
【００９１】
具体的に，座布団椅子１０は，クッション材を内蔵した上面被覆材Ｐ１，下面被覆材Ｐ２，及び側面被覆材Ｐ４からなり，固定環Ｇ１は下面被覆材Ｐ２及び側面被覆材Ｐ４の境界に返し縫されると共に，側面被覆材Ｐ４に沿って上向き後，下向きしながら返し縫される固定帯４０のトップ頂点に設けられた固定横ホール４１に嵌められて上下回動する固定水平バーＧ１ａと，固定水平バーＧ１ａの両端から閉口型にラウンディングされて着脱環Ｇ２をして着脱可能に嵌められるようにする固定ラウンドバーＧ１ｂを備える。
【００９２】
固定帯４０が下面被覆材Ｐ２及び側面被覆材Ｐ４の境界に返し縫されて安全ベルト３０の着用時，確実な固定力で寿命を保証するようにし，次に，固定帯４０が上向き後，下向きしながら側面被覆材Ｐ４に再度返し縫されて，より確実な固定力を発揮することができるようにし，固定水平バーＧ１ａが固定帯４０のトップ頂点に設けられた固定横ホール４１に嵌められて，上下回動して着脱環Ｇ２の固定ラウンドバーＧ１ｂへの円滑な分解及び組立を可能にして，使用上の利便性まで保証できるようにする。
【００９３】
本発明の第１４実施形態に従って，固定環Ｇ１は座布団椅子１０の正面，正面から左側に離隔した左離隔面及び正面から右側に離隔した右離隔面に各々設けられて人体の骨盤及び腿の体型によって着脱環Ｇ２をして座布団椅子１０の正面，左離隔面，及び右離隔面に各々設けられた固定環Ｇ１に選択的に掛かるようにする。
【００９４】
作業者は，骨盤のサイズ及び腿の厚さが各々異なる体型を有することができ，安全ベルト３０はそのサイズを加減させる構造（長さ調整可能）で製作することもでき，好ましくは，生産性及び使用上の利便性を考慮して弾性のバンド材質で作られる。
【００９５】
この際，座布団椅子１０の正面に設けられた固定環Ｇ１に着脱環Ｇ２を嵌めて安全ベルト３０の締め力を緩くすることができるようにし，座布団椅子１０の左離隔面及び右離隔面に各々設けられた固定環Ｇ１に着脱環Ｇ２を嵌めて安全ベルト３０の締め力をタイト（腿をより締める感じ）にすることができるようにして，作業者の安らかな感じによって選択的に安全ベルト３０を着用するようにして，その使用時の利便性を極大化させる。
【００９６】
一方，回収環Ｇ３は安全ベルト３０を挟持するように，骨盤ベルト２０に当接しながら上向き後，下向きにすると共に，また安全ベルト３０の上に上向きされて返し縫される回収帯５０のアンダー頂点に設けられた回収横ホール５１に嵌められて上下回動する回収水平バーＧ３ａと，この回収水平バーＧ３ａの両端から閉口型にラウンディングされて着脱環Ｇ２をして着脱可能に嵌められるようにする回収ラウンドバーＧ３ｂを備える。
【００９７】
安全ベルト３０が骨盤ベルト２０に固定される時，平坦に合わせた状態で単純に返し縫される場合，着用時，間もなくて容易に落ちて，寿命が短くならざるをえないが，本発明では回収環Ｇ３を骨盤ベルト２０に設ける時，安全ベルト３０と共に固定できるようにすると共に，特に安全ベルト３０をサンドイッチさせるように骨盤ベルト２０に当接しながら上向き後，下向きすると共に，また安全ベルト３０の上に上向きされて返し縫される回収帯５０として一挙に固定力を保証し，延いては，回収帯５０のアンダー頂点に設けられた回収横ホール５１に着脱環Ｇ２の回収水平バーＧ３ａが嵌められて，上下回動するようにすることによって，着脱環Ｇ２の嵌め及び分離動作まで保証して，使用時の利便性を極大化させることができるようにしたものである。
【００９８】
そして，着脱環Ｇ２は安全ベルト３０の下端に設けられた着脱横ホール３０ａに嵌められて上下回動する着脱水平バーＧ２ａと，着脱水平バーＧ２ａの両端から閉口型に折れた後，オープン型にラウンディングされて，固定環Ｇ１または回収環Ｇ３に選択的に着脱可能に嵌められる着脱ラウンドバーＧ２ｂを備える。
【００９９】
着脱環Ｇ２の着脱水平バーＧ２ａが着脱横ホール３０ａに嵌められて上下回動しながらその両端から閉口型に折れて着脱ラウンドバーＧ２ｂを堅固に支持するようにして，使用中に着脱環Ｇ２の分離現象を未然に防止することができ，延いては，オープン型にラウンディングされた着脱ラウンドバーＧ２ｂにより固定環Ｇ１または回収環Ｇ３への選択的着脱を容易にして，使用上の利便性が保証できるようになる。
【０１００】
この際，着脱環Ｇ２は着脱ラウンドバーＧ２ｂのオープン型にラウンディングされた端部内側から内向突出するストッパーＧ２ｃをさらに含んで，固定環Ｇ１または回収環Ｇ３に嵌める場合，簡単に分離されないようにして，より確実な着用状態が維持できるようにする。
【０１０１】
そして，着脱横ホール３０ａは安全ベルト３０の端部を内側に畳んだ状態で返し縫して設けられたアンダー頂点に形成させて，合成繊維の織りにより製作された安全ベルト３０の使用中，その緯糸及び経糸が解ける現象を未然に防止する。
【０１０２】
本発明に従って，安全ベルト３０は，図６ａ及び図６ｂに示すように，骨盤ベルト２０の前方の中心に固定されて着脱環Ｇ２をして座布団椅子１０の固定環Ｇ１に着脱可能にすることができ，本発明に従って，安全ベルト３０は，図７ａ，図７ｂ，図８ａ，そして，図１６ａ乃至図１７ｂに示すように，骨盤ベルト２０の前方の両側に固定されて，着脱環Ｇ２をして座布団椅子１０の固定環Ｇ１に着脱可能にすることができる。
【０１０３】
特に，図１６ａ乃至図１７ｂに示すように，骨盤ベルト２０は座布団椅子１０の両側の上部に各々固定されて骨盤に水平方向に着脱可能に着用される主骨盤ベルト２１と，座布団椅子１０の両側の中下部に固定されて，斜線方向に延長された後，主骨盤ベルト２１に固定されて骨盤に着用される補助骨盤ベルト２２からなり，安全ベルト３０は補助骨盤ベルト２２の前方の両側に固定されて着脱環Ｇ２をして座布団椅子１０の固定環Ｇ１に着脱可能にすることができる。
【産業上の利用可能性】
【０１０４】
本発明は，膝を屈めた状態で，すなわち膝を縮めた状態で作業する各種の産業現場に利用できる。
【符号の説明】
【０１０５】
１０    座布団椅子
２０    骨盤ベルト
２０ａ    ベルクロテープ
２１    主骨盤ベルト
２２    補助骨盤ベルト
３０    安全ベルト
３０ａ    着脱横ホール
３１    アンダーハーフ安全ベルト
３２    アッパーハーフ安全ベルト
３３    アンダー中心安全ベルト
３４    アッパー対角安全ベルト
４０    固定帯
４１    固定横ホール
５０    回収帯
５１    回収横ホール
Ｐ１    上面被覆材
Ｐ２    下面被覆材
Ｐ３    垂直被覆材
Ｐ４    側面被覆材
Ｊ    ジッパー
Ｇ１    固定環
Ｇ１ａ    固定水平バー
Ｇ１ｂ    固定ラウンドバー
Ｇ２    着脱環
Ｇ２ａ    着脱水平バー
Ｇ２ｂ    着脱ラウンドバー
Ｇ２ｃ    ストッパー
Ｇ３    回収環
Ｇ３ａ    回収水平バー
Ｇ３ｂ    回収ラウンドバー
【図１ａ】
2019111316.tif 000003
【図１ｂ】
2019111316.tif 000004
【図１ｃ】
2019111316.tif 000005
【図２ａ】
2019111316.tif 000006
【図２ｂ】
2019111316.tif 000007
【図３ａ】
2019111316.tif 000008
【図３ｂ】
2019111316.tif 000009
【図４ａ】
2019111316.tif 000010
【図４ｂ】
2019111316.tif 000011
【図５ａ】
2019111316.tif 000012
【図５ｂ】
2019111316.tif 000013
【図６ａ】
2019111316.tif 000014
【図６ｂ】
2019111316.tif 000015
【図７ａ】
2019111316.tif 000016
【図７ｂ】
2019111316.tif 000017
【図８ａ】
2019111316.tif 000018
【図８ｂ】
2019111316.tif 000019
【図９ａ】
2019111316.tif 000020
【図９ｂ】
2019111316.tif 000021
【図１０ａ】
2019111316.tif 000022
【図１０ｂ】
2019111316.tif 000023
【図１１ａ】
2019111316.tif 000024
【図１１ｂ】
2019111316.tif 000025
【図１２ａ】
2019111316.tif 000026
【図１２ｂ】
2019111316.tif 000027
【図１３ａ】
2019111316.tif 000028
【図１３ｂ】
2019111316.tif 000029
【図１４】
2019111316.tif 000030
【図１５ａ】
2019111316.tif 000031
【図１５ｂ】
2019111316.tif 000032
【図１６ａ】
2019111316.tif 000033
【図１６ｂ】
2019111316.tif 000034
【図１７ａ】
2019111316.tif 000035
【図１７ｂ】
2019111316.tif 000036